(57)【要約】  使い捨て吸収性物品は、液体透過性トップシート、バックシート、及びトップシートとバックシートとの間に配置された吸収性コアを含むシャーシと、耳部の少なくとも一部分が後側腰部区域におけるシャーシの長手方向縁部から横に向かって外側に伸長するように、シャーシの後側腰部区域に結合される耳部とを含んでよい。この物品はさらに、耳部の末端縁に最も近く配置される嵌合部材と、前側腰部区域におけるシャーシに配置される受入部材を含む締着装置とを含み、この耳部は嵌合部材と受入部材の嵌合の際に、前側腰部区域と後側腰部区域を相互接続する。耳部は、前側縁部変位及び後側縁部変位の合計が約１２ｍｍ以下となるような前側縁部変位及び後側縁部変位を有する。
2009509619.tif 000002
【特許請求の範囲】
【請求項１】
ａ）前側腰部縁部を備える前側腰部区域、後側腰部縁部を備える後側腰部区域、前記前側腰部区域と後側腰部区域との間の股部区域、及び１対の対向する長手方向縁部を有するシャーシであって、
ｉ）トップシートと、
ｉｉ）バックシートと、
ｉｉｉ）前記トップシートと前記バックシートとの間に配置される吸収性コアと
を含むシャーシと、
ｂ）上側面方向縁部、近位縁、末端縁を有する耳部であって、該耳部の少なくとも一部分が、前記後側腰部区域におけるシャーシの長手方向縁部から側面方向に外に向かって伸長するように、シャーシの後側腰部区域と結合される耳部と、
ｃ）
ｉ）前記耳部の末端縁に近接して配置される嵌合部材と、
ｉｉ）前側腰部区域におけるシャーシ上に配置される受入部材と
を含み、
前記耳部は、前記嵌合部材が前記受入部材と嵌合する時に、前側腰部区域と後側腰部区域を相互接続し、
前記耳部は前側縁部変位及び後側縁部変位を有し、該前側縁部変位及び該後側縁部変位の合計は約１２ｍｍ以下である締着装置と
を含む、使い捨て吸収性物品。
【請求項２】
前記前側縁部変位が約１ｍｍ以下である、請求項１に記載の使い捨て吸収性物品。
【請求項３】
前記後側縁部変位が約１０ｍｍ以下である、請求項１に記載の使い捨て吸収性物品。
【請求項４】
前記物品が、耳部全体幅を有し、前記前側縁部変位及び前記後側縁部変位の合計と前記耳部全体幅との比率が、約０．３０以下である、請求項１に記載の使い捨て吸収性物品。
【請求項５】
前記前側縁部変位及び前記後側縁部変位の合計と前記耳部全体幅との比率が、約０．２０以下である、請求項４に記載の使い捨て吸収性物品。
【請求項６】
前記前側縁部変位と前記耳部全体幅との比率が、約０．２０以下である、請求項４に記載の使い捨て吸収性物品。
【請求項７】
前記後側縁部変位と前記耳部全体幅との比率が、約０．１０以下である、請求項６に記載の使い捨て吸収性物品。
【請求項８】
前記耳部が耳部中点幅を有し、前記前側縁部変位及び前記後側縁部変位の合計と前記耳部中点幅との比率が、約０．３０以下である、請求項１に記載の使い捨て吸収性物品。
【請求項９】
前記前側縁部変位及び前記後側縁部変位の合計と前記耳部中点幅との比率が、約０．２０以下である、請求項８に記載の使い捨て吸収性物品。
【請求項１０】
前記耳部の少なくとも一部分が、弾性である、請求項１に記載の使い捨て吸収性物品。
【請求項１１】
前記締着装置が、フック対ループ装置、フック対フック装置、接着剤対ポリマーフィルム装置；粘着剤対粘着剤装置、接着剤対接着剤装置；タブ対スロット装置；又はボタン対ボタン穴装置である、請求項１に記載の使い捨て吸収性物品。
【請求項１２】
前記物品が、予め締着された使い捨て吸収性物品である、請求項１に記載の使い捨て吸収性物品。
【請求項１３】
ａ）前側腰部縁部を備える前側腰部区域、後側腰部縁部を備える後側腰部区域、前記前側腰部区域と後側腰部区域との間の股部区域、及び１対の対向する長手方向縁部を有するシャーシであって、
ｉ）トップシートと、
ｉｉ）バックシートと、
ｉｉｉ）前記トップシートと前記バックシートとの間に配置される吸収性コアと
を含むシャーシと、
ｂ）上側面方向縁部、近位縁、末端縁を有する後耳部であって、該後耳部の少なくとも一部分が、前記後側腰部区域におけるシャーシの長手方向縁部から側面方向に外に向かって伸長するように、シャーシの後側腰部区域と結合される後耳部と、
ｃ）上側面方向縁部、近位縁、末端縁を有する前耳部であって、該前耳部の少なくとも一部分が、前記前側腰部区域におけるシャーシの長手方向縁部から側面方向に外に向かって伸長するように、前記前耳部はシャーシの前側腰部区域と結合される前耳部と、
ｄ）
ｉ）前記後耳部又は前記前耳部上に配置される嵌合部材と、
ｉｉ）反対側の耳部上に配置される受入部材と
を含み、
前記前耳部及び前記後耳部は、前記嵌合部材が前記受入部材と嵌合する時に、前側腰部区域と後側腰部区域を相互接続し、
前記前耳部は前側縁部変位を有し、前記後耳部は後側縁部変位を有し、前記前側縁部変位及び後側縁部変位の合計は約１２ｍｍ以下である締着装置と
を含む、使い捨て吸収性物品。
【請求項１４】
前記前側縁部変位が、約１ｍｍ以下である、請求項１３に記載の使い捨て吸収性物品。
【請求項１５】
前記後側縁部変位が、約１０ｍｍ以下である、請求項１３に記載の使い捨て吸収性物品。
【請求項１６】
前記物品が、耳部全体幅を有し、前記前側縁部変位及び前記後側縁部変位の合計と前記耳部全体幅との比率が、約０．３０以下である、請求項１３に記載の使い捨て吸収性物品。
【請求項１７】
前記後側縁部変位と前記耳部全体幅との比率が、約０．２０以下である、請求項１６に記載の使い捨て吸収性物品。
【請求項１８】
前記耳部が耳部中点幅を有し、前記前側縁部変位及び前記後側縁部変位の合計と前記耳部中点幅との比率が、約０．３０以下である、請求項１３に記載の使い捨て吸収性物品。
【請求項１９】
少なくとも１つの耳部の少なくとも一部分が弾性である、請求項１３に記載の使い捨て吸収性物品。
【請求項２０】
前記締着装置が、フック対ループ装置、フック対フック装置、接着剤対ポリマーフィルム装置；粘着剤対粘着剤装置、接着剤対接着剤装置；タブ対スロット装置；又はボタン対ボタン穴装置である、請求項１３に記載の使い捨て吸収性物品。
【請求項２１】
前記物品が、予め締着された使い捨て吸収性物品である、請求項１３に記載の使い捨て吸収性物品。
【請求項２２】
ａ）前側腰部縁部を備える前側腰部区域、後側腰部縁部を備える後側腰部区域、前記前側腰部区域と後側腰部区域との間の股部区域、及び１対の対向する長手方向縁部を有するシャーシであって、
ｉ）液体透過性トップシートと、
ｉｉ）バックシートと、
ｉｉｉ）前記トップシートと前記バックシートとの間に配置される吸収性コアと
を含むシャーシと、
ｂ）上側面方向縁部、近位縁、末端縁を有する耳部であって、前記耳部の少なくとも一部分が、前記後側腰部区域におけるシャーシの長手方向縁部から側面方向に外に向かって伸長するように、シャーシの後側腰部区域と結合される耳部と、
ｃ）
ｉ）前記耳部の末端縁に近接して配置される嵌合部材と、
ｉｉ）前側腰部区域におけるシャーシ上に配置される受入部材と、
を含み、
前記耳部は、前記嵌合部材が前記受入部材と嵌合する時に、前側腰部区域と後側腰部区域を相互接続し、前記耳部が前側縁部変位、後側縁部変位、耳部全体幅、耳部中点幅を有し、
１．前記前側縁部変位と後側縁部変位の合計が約１２ｍｍ以下、
２．前記前側縁部変位及び後側縁部変位の合計と耳部全体幅との比率が約０．３０以下、及び
３．前記前側縁部変位及び後側縁部変位の合計と耳部中点幅との比率が約０．３０以下
である締着装置と
を含む使い捨て吸収性物品。
【発明の詳細な説明】
【技術分野】
【０００１】
本発明は、より衣類のような物品をもたらす耳部を支持するファスナを有するおむつのような吸収性物品に関する。吸収性物品は、改善された機能特性及び伝達性質を有し得る。
【背景技術】
【０００２】
従来のテープ式おむつのような吸収性物品は、尿及び／又は他の排泄物の受入及び収容に関して利益を示すことが以前から知られている。排出物を有効に収容するため、物品は、着用者の腰部及び脚部の周りにぴったり適合すべきである。吸収性物品は、トップシート、バックシート、及び吸収性コアを含むシャーシを有することが知られている。従来のテープ式おむつのような吸収性物品は、一般的に締着装置によって開放可能及び／又は再締着可能に連結される前側及び後側腰部区域を含む。締着装置は、一般的に嵌合部材及び受入部材を含む。嵌合部材は、接着テープ、フック支持テープ、粘着テープ、又は他の同様の構造であってよい。受入部材は、ポリマーフィルムランディング領域（即ち、接着又は粘着テープを受け取る）又はループ支持表面（即ち、フック支持テープを受け取る）のような嵌合部材を受け入れる物品上における要素又は領域であり得る。嵌合部材は受入部材と結合されてよく、それによって後側腰部区域を前側腰部区域に相互接続し、それによって腰部開口部及び脚部開口部の対を形成する。
【０００３】
現行のおむつの設計は、しばしば伸長可能な耳部の使用を含む。後耳部は、シャーシ後側腰部区域の長手方向縁部から横に伸長し得る。締着装置の嵌合部材は、この後耳部に付着されてよい。前側締着式又はテープ式設計の場合、締着装置が前側腰部区域上で受入部材と嵌合される際、後耳部は前側腰部区域と後側腰部区域との間に相互接続部材として提供され、この後耳部は、同時に腰部開口部及び脚部開口部の対を形成する。後耳部は、一定の弾性回復を提供するように構成されてよい。弾性のある後耳部は、おむつがより要望に合わせた適合を提供するのを可能とする。さらに弾性性能によって、おむつの永続的な変形又はおむつの着用者へ不快感をもたらすことなく、着用者によってもたらされる力をおむつに適合させるのが可能となる。弾性は、弾性材を後耳部に組み込むことによって、典型的には耳部へ付与される。エラストマー材料が高価格であるために、一般的な方法においては、弾性耳部は、シャーシに取り付けられる個別の構成要素として構成され（つまり、主要な吸収性アセンブリに他の構成要素が付着する）、複数片のおむつとなる。この方法は、弾性材の効率的且つ費用効果の高い使用をもたらすが、問題がないわけではない。
【０００４】
複数片のおむつにおいて見られる１つの問題は、「トップハッティング」である。「トップハット」は、前又は後耳部の最上縁部を越えて、おむつの腰部縁部まで伸長する前側又は後側腰部区域の部分である。複数片のおむつが適切に着用される際、前側腰部区域及び後側腰部区域におけるおむつの腰部縁部は実質的に直線状、又はわずかに曲線状である。腰部縁部が前側腰部区域から取り付けられた後耳部まで移動すると、腰部縁部は急に降下し、次に後耳部の上縁部に繋がるように直線状又は曲線状に続く。前側腰部区域又は後側腰部区域における腰部縁部から後耳部の上縁部までのこの「降下」は、１センチメートル以上であり得る。着用の際、腰部縁部においてこの降下を伴うテープ式おむつは、その側部からの切欠きを有するように見える。かかるおむつの腰部縁部は、階段状の外観を有し得る。
【０００５】
トップハッティングは、複数片のおむつの適合特性に関して悪影響を有し得る。一般的に、おむつは、着用者の胴体の円周線に張力をもたらす。この張力は、伸長した弾性後耳部によってもたらされてよい。トップハットを示す複数片のおむつにおいて、張力の線が、連続的に途切れることないおむつの経路のみに沿うか又は通して伝わるために、張力の線は腰部縁部をはるかに下回って配置される。張力生成弾性耳部及び締着装置は、腰部縁部から非常に離れているので、張力線は同様に、前側腰部区域及び後側腰部区域における腰部縁部から離れている（つまり、一般的により低い）。
【０００６】
適合及び機能的な問題は、腰部縁部から離れて位置する張力線に起因し得る。例えば、おむつの前側腰部区域及び／又は後側腰部区域は、弛み又は折り重なりを示し得る。弛みは、張力下にない場合におむつが示す、しわが寄り、緩く、隙間があるか、又はひだのある構造をいう。折り重なりは、おむつの身体に面する表面が衣類に面するようになるような、おむつの少なくとも一部分への反転をいう。弛みと同様に、おむつの一部分が張力下にない場合、折り重なりが発生し得る。折り重なり及び弛みは又、腰部縁部のガスケット機能を低下させ得る。例えば、特に着用者が腹臥位又は仰臥位にある際、腰部縁部と着用者の腰部の境界面は漏れやすい。折り重なり及び弛みは、漏れをもたらし得るこの境界面において、着用者と密接に接触するおむつの表面積を削減し得る。
【０００７】
さらに、折り重なり及び弛みは、審美的に望ましくない。折り重なり及び弛みは、着用中のおむつに粗雑な外観をもたらす。その結果、これは着用者に、吸収性又は漏れ防止のような機能的な特性が高性能であり得るのに反して、低質なおむつであると伝える可能性がある。
【０００８】
トップハッティング及びそれによってもたらされる腰部縁部の平滑性、連続性及び周辺性の欠如によって、消費者又は着用者に不必要な情報が伝わる。例えば、トップハッティングは、その製品がおむつであるということが目で見てすぐ分かるしるしとなることがある。トイレトレーニングを受けている幼児又は失禁症状のある若者及び成人のような多くの着用者にとって、おむつを着用せねばならないということは不名誉なことである。この憂いを解消するために、おむつは衣類のようであるか、肌着のようであるという情報を伝えるべきである。換言すれば、おむつはおむつのように見えるべきではない。しかしながら、トップハッティング及び不連続な腰部縁部は、明らかにおむつであるというしるしである。
【発明の開示】
【発明が解決しようとする課題】
【０００９】
従って、複数片のおむつにおいてトップハッティングを除去又は削減する後耳部を有するおむつを提供することが望ましい。さらに、おむつは、不連続部又は欠落部のない、平滑性、連続性且つ周辺性の腰部縁部を示すことが望ましい。おむつは、別個の耳部によって少なくとも部分的に、できる限り腰部縁部に近くなるように提供される張力線を示すことが望ましい。おむつは、おむつであると明らかに目に見えるしるし（例えば、腰部の不連続部分）のない、衣類のようであるという情報を伝えることも望ましい。
【課題を解決するための手段】
【００１０】
本発明は、前側腰部縁部を有する前側腰部区域と、後側腰部縁部を有する後側腰部区域と、前側腰部区域と及び後側腰部区域との間の股部区域と、１対の対向する長手方向縁部を有するシャーシとを含む、使い捨て吸収性物品に関する。シャーシは、トップシートと、バックシートと、トップシート及びバックシートとの間に配置された吸収性コアを含んでよい。シャーシはさらに、上側面方向縁部と、近位縁と、末端縁を有する耳部とを含んでよく、この耳部は、少なくとも一部分が後側腰部区域のシャーシの長手方向縁部から外に向かって伸長するように、シャーシの後側腰部区域と結合する。シャーシはさらに、耳部の末端縁に最も近く配置される嵌合部材、前側腰部区域におけるシャーシに配置される受入部材を含む締着装置を含んでよく、この耳部は嵌合部材と受入部材の嵌合の際に、前側腰部区域と後側腰部区域を相互接続する。耳部は、前側縁部変位及び後側縁部変位の合計が約１２ｍｍ以下となるような前側縁部変位及び後側縁部変位を有し得る。
【００１１】
本発明の特定の実施形態において、使い捨て吸収性物品は前耳部及び後耳部を含んでよい。前側縁部変位及び後側縁部変位の合計が約１２ｍｍ以下となるように、前耳部は前側縁部変位を有し、後耳部は後側縁部変位を有してよい。
【発明を実施するための最良の形態】
【００１２】
本明細書で使用する時、以下の用語は後述で特定される意味を有する：
「トップハット」は、おむつの前側又は後側の耳部の最上縁部を越えて腰部縁部まで伸長する、おむつの前側又は後側腰部区域の一部分である。
【００１３】
吸収性物品において、「使い捨て」は、本明細書において、洗濯する、あるいは別の方法で吸収性物品として復元するか再利用することを一般に意図されない（即ち、単一回の使用の後で廃棄する、好ましくはリサイクルする、堆肥化する、あるいは環境に適合する方法で廃棄することを意図される）吸収性物品を意味する。
【００１４】
「吸収性物品」という用語は、身体の排出物を吸収及び収容する、着用可能な手段を指し、より詳細には、着用者の体に接して又は近接して配置されて、体から排出される様々な排出物を吸収し、収容する手段を指す。例示的な吸収性物品には、おむつ、トレーニングパンツ、プルオンパンツ型おむつ（つまり、米国特許第６，１２０，４８７号で図示されるような予備成形された腰部開口部及び脚部開口部を有するおむつ）、再締着可能なおむつ又はパンツ型おむつ、失禁用ブリーフ及び肌着、おむつホルダー及びライナー、パンティライナーのような女性用生理衣類、吸収性挿入物等が挙げられる。
【００１５】
「近位」及び「遠位」はそれぞれ、構造体の長手方向又は側面方向中心線に比較的近い又は遠い要素の位置を指し、例えば、長手方向に延びる要素の近位縁は、同じ要素の遠位縁が同じ長手方向中心線に対して配置されているのに比べて、長手方向中心線にさらに近く位置されている。
【００１６】
「身体に面する」及び「衣類に面する」はそれぞれ、要素、又は要素若しくは要素のグループの表面における相対的な位置を指す。「身体に面する」は、着用中に、要素又は表面が、ある他の要素又は表面よりも着用者により近いことを意味する。「衣類に面する」は、着用中に、要素又は表面が、ある他の要素又は表面よりも着用者からより離れている（つまり、要素又は表面が使い捨て吸収性物品の上に着用される、着用者の衣類に最も近い）ことを意味する。
【００１７】
「長手方向」は、物品の腰部縁部から対向する腰部縁部まで実質的に垂直に及び、且つ物品の最長直線の長さに対してほぼ平行な方向を指す。長手方向の４５度以内の方向は、「長手方向」であると見なされる。
【００１８】
「側面方向」は、物品の長手方向縁部から対向する長手方向縁部まで及び、且つ長手方向に対して一般的に直角である方向を指す。側面方向の４５度以内の方向は、「側面方向」であると見なされる。
【００１９】
「配置される」は、特定の場所又は位置に位置されている要素を指す。
【００２０】
「結合された」には、１つの要素を他の要素に直接付着させることによりその要素を他の要素に直接固定させた構成と、１つの要素を中間部材に付着させ、次にその中間部材（単数又は複数）を他の要素に付着させることによりその要素を他の要素に間接的に固定させた構成を指す。
【００２１】
「フィルム」は、シート状材料であって、長さ及び幅が厚みをはるかに超える材料を指す。典型的に、フィルムは約０．５ｍｍ以下の厚さを有する。
【００２２】
「水透過性」及び「水不透過性」は、使い捨て吸収性物品の意図された使用に関連する材料の浸透可能性を指す。特に、用語「水透過性」は、押しつける圧力がない時に液状の水、尿、又は合成尿がその厚さを通過するのを許容する孔、開口部、及び／又は結合された空隙を有する層又は層状構造体を指す。逆に、用語「水不透過性」は、押しつける圧力（重力のような自然の力を除く）がない時に液状の水、尿、又は合成尿がその厚さを通過することのできない孔、開口部、及び／又は結合された空隙を有する層又は層状構造体を指す。この定義による水不透過性の層又は層状構造体には、水蒸気に対する透過性を備えている、つまり「水蒸気透過性」を備えさせてもよい。当該技術分野で周知のように、吸収性物品で通常使用される物質の水、尿、又は合成尿の透過性を測定する一般的な方法は、水圧試験（水圧ヘッド試験又は単純に「ハイドロヘッド」試験ともいう）である。ハイドロヘッド試験に好適な周知の簡潔な方法は、ＩＮＤＡ（元国際不織布及び使い捨て用品協会（International Nonwovens and Disposables Association）、現在の不織布工業協会（Association of the Nonwoven Fabrics Industry））及びＥＤＡＮＡ（欧州使い捨て用品及び不織布協会（European Disposables And Nonwovens Association））によって承認されている。
【００２３】
「拡張性」及び「延伸性」は、弛緩状態における構成要素の幅又は長さが延伸又は増加することができることを意味する。
【００２４】
「伸縮性」又は「弾性のある」は、構成要素が弾性材から作成された少なくとも一部分を含むことを意味する。
【００２５】
「弾性」、「エラストマー」及び「エラストマー性」は、一般に破断又は断裂することなく少なくとも５０％の歪みまで拡張することができ、且つ、変形力が除去された後、実質的にその元の寸法まで回復することができる材料を指す。
【００２６】
「エラストマー材」は、弾性特性を示す材料である。エラストマー材には、エラストマーフィルム、スクリム、不織布、及び他のシート状構造体が挙げられる。
【００２７】
「外側」及び「内側」は、それぞれ第２要素に対して、おむつの長手方向中心線から相対的に離れるか又は近くに配置される要素の相対的な位置を指す。例えば、要素Ａが要素Ｂの外側にあるのであれば、要素Ａは要素Ｂよりも長手方向中心線からより離れている。
【００２８】
「パンツ」は、前形成腰部及び脚部開口部を有する使い捨て吸収性材料を指す。パンツは、着用者の脚を脚部開口部に挿入し、パンツを着用者の胴体下部の周囲の適所に滑らせることによって着用されてよい。パンツは、一般に、「閉じたおむつ」、「予め締着されたおむつ」、「プルオンおむつ」、「トレーニングパンツ」、及び「おむつ−パンツ」とも呼ばれる。
【００２９】
「予め締着された」は、締着装置が嵌合されるか、又は締着された構成となるように製造される使い捨て吸収性物品を指す。
【００３０】
「消費者市販品」は、大量に製造され、分配され、一般の小売店を通して消費者に購入され得る品目を指す。
【００３１】
「線状投影」は、縁部の末端部分を越える縁部の線状伸長である。
【００３２】
図１は、本発明のおむつ２０の平坦且つ非収縮状態（つまり、収縮をもたらす弾性を有さない）における、代表的且つ非限定的な実施形態の平面図である。おむつ２０の衣類に面する表面１２０は、見る人に面している。おむつ２０は、長手方向中心線１００及び側面方向中心線１１０を含む。おむつ２０は、シャーシ２２を含んでよい。おむつ２０及びシャーシ２２は、前側腰部区域３６と、前側腰部区域３６と対向する後側腰部区域３８と、前側腰部区域３６及び後側腰部区域３８との間に位置する股部区域３７とを有するものとして示されている。腰部区域３６及び３８は、一般に、着用した時に着用者の腰部を取り巻くようなおむつ２０の部分を備える。腰部区域３６及び３８は弾性要素を包含し、着用者の腰部周りで縮んで改善された適合と封入性を提供し得る。股部区域３７は、おむつ２０が着用された時に、概ね着用者の脚の間に位置するおむつ２０の部分である。
【００３３】
シャーシ２２の外周は、長手方向縁部１２及び側面方向縁部１４によって画定される。長手方向縁部１２は、前側長手方向縁部１２ａにさらに分割されてよく、この前側長手方向縁部１２ａは前側腰部区域３６において長手方向縁部１２の一部分であり、後側長手方向縁部１２ｂは後側区域３８における長手方向縁部１２の一部分である。シャーシ２２は、一般的に長手方向中心線１００に対して平行に配向される対向長手方向縁部１２を有してよい。しかしながら、より良い適合のためには、長手方向縁部１２は、例えば平面図で見た時に、「砂時計」型のおむつを製造するように湾曲又は角度がつけられてよい。シャーシ２２は、一般的に側面方向中心線１１０に対して平行に配向される対向側面方向縁部１４を有してよい。
【００３４】
シャーシ２２は、液体透過性トップシート２４と、バックシート２６と、トップシート２４及びバックシート２６との間の吸収性コア２８とを含んでよい。吸収性コア２８は、身体に面する表面と衣類に面する表面とを有してよい。トップシート２４は、コア２８及び／又はバックッシート２６に結合されてよい。バックシート２６は、コア２８及び／又はトップッシート２４に結合されてよい。他の構造体、要素、又は基材がコア２８とトップシート２４及び／又はバックシート２６との間に配置されてよいことを認識すべきである。特定の実施形態において、シャーシ２２は、複合おむつ構造を形成するために付加され得る他の機構と共に、おむつ２０の主要構造を含む。トップシート２４、バックシート２６、及び吸収性コア２８は、米国特許第３，８６０，００３号、第５，１５１，０９２号、第５，２２１，２７４号、第５，５５４，１４５号、第５，５６９，２３４号、第５，５８０，４１１号、及び第６，００４，３０６号に概して記載される、様々な周知の構成、好ましくはおむつの構成によって作られてよい。
【００３５】
トップシート２４は、一般的に、着用者に少なくとも部分的に接触するか、又は近接して配置され得るおむつ２０の一部分である。好適なトップシート２４は、多孔質発泡体、網状発泡体、孔あきプラスチックフィルム、あるいは天然繊維（例えば木材繊維若しくは木綿繊維）、合成繊維（例えばポリエステル繊維若しくはポリプロピレン繊維）、又は天然繊維と合成繊維の組み合わせの織布又は不織布ウェブなどの、広範な材料で製造されてもよい。トップシート２４は、一般的に、着用者の皮膚に対して柔軟であり、柔らかな触感であって、刺激がない。一般的に、トップシート２４の少なくとも一部は液体透過性であり、液体がトップシート２４の厚さを容易に通過することを可能にする。特定のトップシート２４は、テネシー州ブレントウッド（Brentwood）のＢＢＡファイバーウェブ社（BBA Fiberweb）から、供給元コード０５５ＳＬＰＶ０９Ｕとして入手可能である。
【００３６】
トップシート２４のいずれかの部分は、当技術分野で既知のローションをコーティングされてもよい。好適なローションの例として、米国特許第５，６０７，７６０号、第５，６０９，５８７号、第５，６３５，１９１号、第５，６４３，５８８号に記載されるものが挙げられる。トップシート２４は、全体的に又は部分的に伸縮されてもよく、又は収縮させてトップシート２４とコア２８との間に空隙空間を形成してもよい。伸縮性のある又は縮小するトップシートを包含する代表的な構造体は、米国特許第４，８９２，５３６号、第４，９９０，１４７号、第５，０３７，４１６号、及び第５，２６９，７７５号にさらに詳細に記載されている。
【００３７】
吸収性コア２８は、一般的に使い捨ておむつ及び他の吸収性物品に使用される幅広い液体吸収性材料を含んでよい。好適な吸収性材料の例には、エアフェルトが捲縮されたセルロース詰め綿と一般的に呼ばれる粉砕木材パルプ；コフォームを含むメルトブローポリマー類；化学的に剛化されるか、修飾されるか、又は架橋されたセルロース繊維；ティッシュラップ及びティッシュ積層体を含むティッシュ；吸収性フォーム；吸収性スポンジ；超吸収性ポリマー；吸収性ゲル材料；又は他の既知の吸収性材料又は材料の組み合わせが挙げられる。吸収性コア２８として使用するための例示的な吸収性構造体は、米国特許第４，６１０，６７８号、米国特許第４，６７３，４０２号、米国特許第４，８３４，７３５号、米国特許第４，８８８，２３１号、米国特許第５，１３７，５３７号、米国特許第５，１４７，３４５号、米国特許第５，３４２，３３８号、米国特許第５，２６０，３４５号、米国特許第５，３８７，２０７号、米国特許第５，３９７，３１６号、及び米国特許第５，６２５，２２２号に記載されている。
【００３８】
バックシート２６は、一般的に、おむつ２０の衣類に面する表面１２０の少なくとも一部分であり得るように配置される。バックシート２６は、おむつ２０に吸収され、おむつ２０内に収容された排出物が、ベッドシーツや下着のような、おむつ２０と接触し得る物品を汚すことを防ぐように設計されてよい。特定の実施形態において、バックシート２６は実質的に水不透過性である。好適なバックシート２６の材料としては、インディアナ州テレホート（Terre Haute）のトレデガー・インダストリーズ社（Tredegar Industries, Inc.）で製造され、Ｘ１５３０６、Ｘ１０９６２、及びＸ１０９６４の商標名で販売されているもののようなフィルムが挙げられる。他の好適なバックシート２６の材料には、おむつ２０から蒸気を逃すものの、それでも排出物がバックシート２６を通過することを防ぐ通気性材料が挙げられる。代表的な通気性材料としては、織布ウェブ、不織布ウェブ、フィルムコーティング不織布ウェブなどの複合材、並びにエスポアール（ESPOIR）ＮＯの名称で日本の三井東圧株式会社（Mitsui Toatsu Co.）により製造されているミクロ孔質フィルム及びエグザイア（EXXAIRE）の名称でテキサス州ベイシティー（Bay City）のエクソン・ケミカル社（EXXON Chemical Co.）により製造されているようなミクロ孔質フィルムなどの材料を挙げてもよい。ポリマーブレンドを含む好適な通気性複合材料は、名称ハイトレル（HYTREL）ブレンドＰ１８−３０９７として、クロペイ社（Clopay Corporation）（オハイオ州シンシナティ（Cincinnati））から入手可能である。このような通気性複合材料は、ＰＣＴ国際公開特許ＷＯ９５／１６７４６及び米国特許第５，８６５，８２３号に非常に詳細に記載されている。不織布ウェブ及び開口形状のフィルムを含む他の通気可能なバックシートは、米国特許第５，５７１，０９６号に記載されている。例示的、且つ好適なバックシートは、米国特許第６，１０７，５３７号に記載されている。好適なバックシート２６を提供するため、他の好適な材料及び／又は製造技術が使用されてよく、これらには表面処理、特定のフィルムの選定と加工、特定のフィラメントの選定と加工などが含まれるがこれらに限定されない
。
【００３９】
バックシート２６は、一層を超える層から構成されてもよい。バックシート２６は、外側カバー及び内層を含んでよい。外側カバーは、柔らかい不織布材料から作成されてよい。内層は、実質的水不透過性のフィルムから作成されてよい。外側カバー及び内層は、接着剤又は任意の他の好適な材料又は方法によって共に結合されてよい。特に好適な外側カバーは、供給元コードＡ１８ＡＨ０として、ドイツ、パイネ市（Peine）のコロビン有限責任会社（Corovin GmbH）から入手可能であり、特定の好適な内層は、供給元コードＰＧＢＲ４ＷＰＲとして、ドイツ、グロナウ市（Gronau）のＲＫＷグロナウ有限責任会社（RKW Gronau GmbH）から入手可能である。本明細書では様々なバックシート構成が考えられているが、本発明の精神及び範囲から逸脱することなく様々な他の変更及び修正が可能であることは当業者にとって明らかである。
【００４０】
おむつ２０は、バリアカフ６０及び／又はガスケットカフ７０を含んでよい。ガスケットカフ７０は、外部レッグカフ、レッグバンド、サイドフラップ、レッグカフ、又は弾性カフとも呼ばれる。バリアカフ６０は、第二のカフ、内側レッグカフ、又は「立ち上がった」弾性フラップと呼ばれることもある。
【００４１】
ガスケットカフ７０は、実質的に非弾性であってもよく、又は弾性的延伸性であって、着用者の脚部に動的に適合してもよい。ガスケットカフ７０は、トップシート２４、バックシート２６、又はおむつ２０の形成に使用された任意の他の好適な基材に作用可能に接合された、１つ以上の伸縮部材７２（伸縮ストランド等）により形成されてもよい。好適なガスケットカフ構造は、米国特許第３，８６０，００３号にさらに記載される。
【００４２】
バリアカフ６０は、おむつ２０の長手方向の全長に及び得る。バリアカフ６０は、フラップ６２及び伸縮部材６４（伸縮ストランド等）から形成されてよい。フラップ６２は、おむつ２０を形成する既存材料又は要素のいずれかの連続延長部であってもよい。他の実施形態において、図１に示すように、バリアカフ６０は別個の要素であってよい。このような実施形態において、フラップ６２及び伸縮部材６４を含むバリアカフ６０は、次に、ボンド６５によってシャーシ２２に結合されてよい。
【００４３】
フラップ６２は、プラスチックフィルム；及び天然繊維（例えば木質繊維若しくは木綿繊維）、合成繊維（例えばポリエステル繊維若しくはポリプロピレン繊維）、又は天然繊維と合成繊維の組み合わせの、織布ウェブ又は不織布ウェブのような様々な基材を含んでよい。特定の実施形態では、フラップ６２には、スパンボンドウェブ、メルトブローンウェブ、カード加工ウェブ、及びこれらの組み合わせ（例えば、スパンボンド−メルトブローン複合品及び変異品）などの、不織布ウェブが含んでよい。前述の基材の積層体は、フラップ６２を形成するのにも使用されてよい。特に好適なフラップは、供給元コード３０９２６として、テネシー州ブレントウッド（Brentwood）のＢＢＡファイバーウェブ社（BBA Fiberweb）から入手可能な不織布を含んでよい。特に好適な伸縮部材は、供給元コードＴ２６２Ｐとして、カンザス州ウィチタ（Wichita）のインビスタ社（Invista）から入手可能である。バリアカフを有するおむつのさらなる記載及びかかるバリアカフの好適な作成物は、米国特許第４，８０８，１７８号及び第４，９０９，８０３号において見られ得る。伸縮部材６４は、バリアカフ６０の長手方向長さに及び得る。他の実施形態において、伸縮部材６４は、股部区域３７内のバリアカフ６０の少なくとも長手方向長さに及び得る。伸縮部材６４が、通常の着用中にバリアカフ６０が着用者と接触したままであるように十分な弾性を示し、そのためにバリアカフ６０のバリア特性を強化することが望ましい。伸縮部材６４は、長手方向末端部と対向するようにフラップ６２と結合されてよい。特定の実施形態において、フラップ６２は、伸縮部材６４を取り囲むようにそれ自体の上に重ねられてよい。ボンド６７は、フラップ６２の重複部分を固定するのに使用されてよい。
【００４４】
バリアカフ６０及び／又はガスケットカフ７０は、トップシートに関して前述で記載されるように、全体的又は部分的にローションで処理されるか、又は２００５年２月１０日に出願された米国特許出願第１１／０５５，７４３号に記載されるように疎水性表面で全体又は部分的に被覆されてよい。
【００４５】
おむつ２０は前耳部４０及び／又は後耳部４２を含んでよい。耳部４０、４２は、延伸性、非延伸性、伸縮性、又は非伸縮性であってよい。耳部４０、４２は、不織布ウェブ、織布ウェブ、編布地、ポリマー及びエラストマーフィルム、孔あきフィルム、スポンジ、発泡体、スクリム、及びこれらの組み合わせ及び積層体から形成されてよい。特定の実施形態において、耳部４０、４２は、不織布／エラストマー材料積層体又は不織布／エラストマー材料／不織布積層体のような伸長積層体から形成されてよい。伸長積層体は、当該技術分野において既知な任意の方法によって形成されてよい。例えば、耳部４０、４２は、少なくとも不織布材料及びエラストマー要素を含むゼロ歪伸長積層体として形成されてよい。弛緩又は実質的に弛緩状態でエラストマー要素が不織布材料の層に取り付けられ、不織布層は恒久的に伸長するがエラストマー要素は一時的に伸長する活性化プロセスを積層体に受けさせることにより、生じた積層体が伸長性に（又は、さらに範囲を超えてより伸長性に）される。不織布層は、シャーシ２２の少なくとも一部分と一体化してよく、その場合、エラストマー要素は、不織布層に取り付けられてよく、不織布／エラストマー要素積層体が、続いて活性化される。別の方法としては、不織布層は、別の構成要素であってよく、その場合、エラストマー要素は、不織布層に取り付けられ積層体を形成し、本体部分に結合される。サイドパネルの１つ以上の層が、別々に提供される場合、積層体は、本体部分に取り付けられる前又は後のどちらかで活性化されてよい。ゼロ歪活性化プロセスはさらに、米国特許第５，１６７，８９７号及び第５，１５６，７９３号に記載される。好適な伸縮性耳部は、２つの不織布層（供給元コードＦＰＮ３３２として、テネシー州ブレントウッド（Brentwood）のＢＢＡファイバーウェブ社（BBA Fiberweb）から入手可能であるような）間に配置されるエラストマーフィルム（供給元コードＸ２５００７として、バージニア州リッチモンド（Richmond）のトレデガー社（Tredegar Corp）から入手可能であるような）を含む活性化積層体であってよい。
【００４６】
耳部４０、４２は別個であるか又は一体化されてよい。別個の耳部は、シャーシ２２に結合される分離要素として形成される。一体化された耳部は、長手方向縁部１２から横に向かって外側に突出するシャーシ２２の一部である。一体化された耳部は、突出部を有するようにシャーシ形状を切断することで形成されてよい。
【００４７】
別個の後耳部４２及び一体化された前耳部４０を有する好適なおむつ２０が、図１Ａに示される。別個の後耳部４２及び別個の前耳部４０を有する好適なおむつが、図１Ｂに示される。前耳部４０は、近位縁４１ａ、末端縁４１ｂ、上縁部４１ｃ、及び下縁部４１ｄを有してよい。近位縁４１ａと隣接した前耳部４０の一部分は、前側結合部分４５ａにおいてシャーシ２２と結合してよい。前側結合部分４５ａは、その中で１つ以上の結合剤が個別の前耳部４０とシャーシ２２を結合する領域である。前側結合区域４５ａは、接着剤結合、圧力接着、熱接合等の当該分野で既知の任意の結合方法によって形成される１つ以上の結合剤を含んでよい。前側結合区域４５ａが結合剤の配列又は模様のような１つを超える結合剤を含む場合、前側結合区域４５ａは各方向において最も外側の結合剤を連結する多角形により画定される領域によって定義される。前耳部４０とシャーシ１２間にある程度の重なり合いがあり得ることで、結合が可能となる。しかしながら、他の実施形態においては、前耳部４０の大部分は、シャーシ２２の層、要素、又は基材を含んでよい。
【００４８】
図１Ｃは、両後耳部４２を形成するベルト４９を有するおむつ２０の一実施形態を表している。この実施形態において、前耳部は存在しない。ベルト４９は、対向する長手方向縁部１２を超えて伸長してよい。後耳部４２は、近位縁４３ａ、末端縁４３ｂ、上縁部４３ｃ、及び下縁部４３ｄを有してよい。近位縁４３ａは、ベルト４９上の長手方向縁部１２の突出部とみなされる。
【００４９】
図１Ａ〜図１Ｃの両図に示すように、後耳部４２は、シャーシ２２に結合される個別要素又は個別要素の一部分（例えば、ベルト４５）であってよい。後耳部４２は、近位縁４３ａ、末端縁４３ｂ、上縁部４３ｃ、及び下縁部４３ｄを有してよい。近位縁４３ａと隣接した後耳部４２の一部分は、後側結合部分４５ｂにおいてシャーシ２２と結合してよい。後側結合部分４５ｂは、その中で１つ以上の結合剤が個別の後耳部４２とシャーシ２２を結合する領域である。後側結合区域４５ｂは、接着剤結合、圧力接着、熱接合等の当該分野で既知の任意の結合方法によって形成される１つ以上の結合剤を含んでよい。後側結合区域４５ｂが結合剤の配列又は模様のような１つを超える結合剤を含む場合、後側結合区域４５ｂは各方向において最も外側の結合剤を連結する多角形により画定される領域によって定義される。後耳部４２とシャーシ１２間にある程度の重なり合いがあり得ることで、結合が可能となる。しかしながら、他の実施形態においては、後耳部４２の大部分又は全ては、シャーシ２２の層、要素、又は基材を含んでよい。
【００５０】
おむつ２０には締着装置５０も含まれてよい。締着される際、締着装置５０は、前側腰部区域３６及び後側腰部区域３８と相互結合し、おむつ２０の装着中、着用者の腰部周辺を取り囲んでよい。締結装置５０は、例えば、テープ状ひも、フックとループの締結要素、タブ及びスロットのような係合締結具、バックル、ボタン、スナップ、及び／又は雌雄同体締結要素等の締結具を含んでよいが、他の既知のいかなる締結手段も、一般に容認できる。ある例示的な表面締着装置が、米国特許第３，８４８，５９４号、第４，６６２，８７５号、第４，８４６，８１５号、第４，８９４，０６０号、第４，９４６，５２７号、第５，１５１，０９２号、及び第５，２２１，２７４号にて開示されている。例示的な相互噛み合い締着装置が、米国特許第６，４３２，０９８号に開示されている。締着装置５０は又、米国特許第４，９６３，１４０号にて開示されているように、物品を廃棄形体に保持するための手段を提供してもよい。締着装置５０には又、米国特許第４，６９９，６２２号にて開示されているように、１次及び２次締着装置が含まれてもよい。締着装置５０は、米国特許第５，２４２，４３６号；第５，４９９，９７８号；第５，５０７，７３６号；及び第５，５９１，１５２号に記載されるように、重なり合っている部分の移動を削減するように構成されてよい。
【００５１】
図１Ａは、後耳部４２の末端縁４３ｂに近接する嵌合部材５２、及びシャーシ２２の前側腰部区域３６に配置される受入部材５４を有する締着装置５０を表している。嵌合部材５２は、フック、ループ、接着剤、粘着材、又は他の締着部材を含み得る嵌合表面５３を有するように示されている。図１Ａは、嵌合部材５２の一部分のみを被覆するように嵌合表面５３を表している；しかしながら、他の実施形態において、嵌合表面５３は嵌合部材５２ｍｐ１つ以上の表面の実質的にすべてを被覆してよい。嵌合部材５２は、締着結合区域４７において後耳部４２に結合されてよい。締着結合区域４７は、その中で、１つ以上の結合剤が嵌合部材５２と後耳部４２を結合する領域である。締着結合区域４７は、接着剤結合、圧力接着、熱接合等の当該分野で既知の任意の結合方法によって形成される１つ以上の結合剤を含んでよい。締着結合区域４７が結合剤の配列又は模様のような１つを超える結合剤を含む場合、締着結合区域４７は各方向において最も外側の結合剤を連結する多角形により画定される領域によって定義される。特定の場合、図１Ｂ等に示されるように、締着結合区域４７は取り付け線であってよい。
【００５２】
受入部材５４は、（図１Ａ及び１Ｃに示すように）嵌合部材５２が嵌合するのを可能とする受入表面５５を有してよい。受入表面５４は、嵌合部材５２を受け入れることのできるフック、ループ、接着剤、粘着材、又は他の締着構成要素を含んでよい。好適な嵌合部材５２及び受入部材５４の組み合わせには、限定はしないが、フック／ループ、フック／フック、接着剤／ポリマーフィルム；粘着剤／粘着剤、接着剤／接着剤；タブ／スロット；及びボタン／ボタン穴が挙げられる。
【００５３】
図２Ａは、おむつの通常着用中に見られるような締着された配置における図１Ａのおむつの斜視図である。嵌合部材５２の嵌合表面５３は、受入部材５４と結合し得る。後耳部４２は、前側腰部区域３６及び後側腰部区域３８に及び、結合して脚縁部８８によって画定される脚開口部８６（長手方向縁部１２及び後耳部４２の下縁部４４ｄの一部分を含む）、及び腰縁部８２によって画定される腰開口部８０（シャーシ２２の側面方向縁部１４及び後耳部４２の上縁部４４ｃの一部分を含む）を形成する。後耳部４２が延伸性があるか又は伸縮性がある実施形態において、後耳部４２は着用中のおむつ２０に張力を提供するために伸長されてよい。
【００５４】
図１Ｂは、前耳部４０及び後耳部４２を有するおむつ２０を表している。おむつは、嵌合部材５２及び受入部材５４を含む締着装置５０を有してよい。嵌合部材５２は、後耳部４２の末端縁４３ｂに近接して配置されてよい。受入部材５４は、前耳部の末端縁４１ｂに近接して配置されてよい。図１Ｂにおいて、嵌合部材５２はタブ部材５６として表され、受入部材５４はその中を通るスロット５９と共にスロット部材５８として表されている。単純な形態において、締着装置５０はタブ部材５６をスロット部材５８のスロット５９を完全に通すことで定着されてよい。タブ部材５６がスロット部材５８を通過すると、タブ部材５６は、タブ部材５６の少なくとも一部分がスロット部材５８の少なくとも一部分に重なるように、スロット部材５８の平面と一般的に平行な平面まで回転されてよい。図２Ｂは、おむつ２０の通常着用中に見られるような締着された配置における図１Ｂのおむつの斜視図である。タブ部材５６及びスロット部材５８は結合して、脚縁部８８によって画定される脚開口部８６（長手方向縁部１２、前耳部４０の下縁部４１ｄ、及び後耳部４２の下縁部４３ｄの一部分を含む）、及び腰縁部８２によって画定される腰開口部８０（シャーシ２２の側面方向縁部１４、前耳部の上縁部４１ｃ、及び後耳部４２の上縁部４３ｃの一部分を含む）を形成する。前耳部４０又は後耳部４２が延伸性があるか又は伸縮性がある実施形態において、耳部４０、４２は着用中のおむつ２０に張力を提供するために伸長されてよい。他の好適な嵌合部材５２及び受入部材５４の組み合わせは、タブ及びスロットの代わり又はそれに加えて使用されてよいことを認識すべきである。
【００５５】
図１Ａ〜図１Ｃ及び図２Ａ〜図２Ｂは、前側トップハット９９ａ及び／又は後側トップハット９９ｂを含む。図１Ａにおいて、後側トップハット９９ｂは、後側腰部区域３８中にある後耳部４２の上縁部４３ｃ及び側面方向縁部１４によって画定されるおむつ２０の部分として後側腰部区域３８中に示される。図２Ａに示されるように、締着されると、おむつ２０は前側トップハット９９ａを前側腰部区域３６中に有してよい。前側トップハット９９ａは、後側腰部区域３６中の後耳部４２の上縁部４１ｃ及び側面方向縁部１４によって画定される部分である。
【００５６】
図１Ｂ及び図２Ｂにおいて、後側トップハット９９ａは、前側腰部区域３６中にある前耳部４０の上縁部４１ｃ及び側面方向縁部１４によって画定されるおむつ２０の部分として前側腰部区域３６中に示される。後側トップハット９９ｂは、後側腰部区域３８中にある後耳部４２の上縁部４３ｃ及び側面方向縁部１４によって画定されるおむつ２０の部分として後側腰部区域３８中に示される。
【００５７】
図１Ｃにおいて、後側トップハット９９ｂは、後側腰部区域３８中にある後耳部４２の上縁部４３ｃ及び側面方向縁部１４によって画定されるおむつ２０の部分として後側腰部区域３８中に示される。
【００５８】
図３Ａは、後耳部４２、前側腰部区域３６の一部分、及び後側腰部区域３８の一部分を示す図２Ａのおむつ２０の側面図の拡大平面図である。図３Ｂは、後耳部４２、前耳部４０、前側腰部区域３６の一部分、及び後側腰部区域３８の一部分を示す図２Ｂのおむつ２０の側面図の拡大平面図である。より正確且つ定量的にトップハット９９ａ及び９９ｂを記載するために、多くの計量が示される。好適な計量には、前縁部変位Ａ、後縁部変位Ｃ、耳部全体幅Ｂ、耳部中点幅Ｘ、及び受入部材中点幅Ｙが挙げられる。いくつかの計量について、第１製品マーク１、第２製品マーク２、及び横基準線３に関して測定される。受入部材５４は、長手方向中点４８ａを含んでよい。嵌合部材は、長手方向中点４８ｂを含んでよい。計量の測定方法、及びおむつ２０への製品マーク１、２及び横基準線３、中点４８ａ、４８ｂの適用方法は、以下の計量試験方法の節において記載される。
【００５９】
トップハッティングの問題に対処するために、前縁部変位Ａ及び後縁部変位Ｃが削減されるか、又は除去されるのが望ましい。特定の実施形態において、前縁部変位Ａは約１．０ｍｍ以下であってよい。あるいは、前縁部変位Ａは約０．５ｍｍ以下又は約０．３ｍｍ以下であってよい。特定の実施形態において、前縁部変位Ａは約０であってよい。特定の実施形態において、後縁部変位Ｃは約１０ｍｍ以下であってよい。あるいは、後縁部変位Ｃは約７ｍｍ以下、約５ｍｍ以下、約３ｍｍ以下、又は約１ｍｍ以下であってよい。特定の実施形態において、後縁部変位Ｃは約０であってよい。上述の前縁部変位Ａと後縁部変位Ｃにおける任意の組み合わせも本発明の範囲内にある。さらに、特定の実施形態において、前縁部変位Ａと後縁部変位Ｃの合計は約１２ｍｍ以下であってよい。あるいは、前縁部変位Ａと後縁部変位Ｃの合計は約１０ｍｍ以下、約５ｍｍ以下、約３ｍｍ以下、又は約１ｍｍ以下であってよい。特定の実施形態において、前縁部変位Ａと後縁部変位Ｃの合計は約０ｍｍであってよい。
【００６０】
他の実施形態において、前縁部変位Ａ又は後縁部変位Ｃ対耳部全体幅Ｂの比率は、トップハッティング及びそれによって生じる腰縁部の不連続性の消費者知覚において非常に重要であることが分かっている。例えば、腰縁部の不連続性は、より短い耳部全体幅Ｂを有するおむつよりもより長い耳部全体幅Ｂを有するおむつでの方がより目立たない。特定の実施形態において、前縁部変位Ａと耳部全体幅Ｂとの比率（Ａ／Ｂ）は、約０．０５以下であってよい。特定の実施形態において、前縁部変位Ａと耳部全体幅Ｂとの比率（Ａ／Ｂ）は、約０であってよい。特定の実施形態において、後縁部変位Ｃと耳部全体幅Ｂとの比率（Ｃ／Ｂ）は、約０．２４以下であってよい。あるいは、後縁部変位Ｃと耳部全体幅Ｂとの比率（Ｃ／Ｂ）は、約０．２０以下又は０．１０以下であってよい。特定の実施形態において、後縁部変位Ｃと耳部全体幅Ｂとの比率（Ｃ／Ｂ）は、約０であってよい。
【００６１】
他の実施形態において、前縁部変位Ａと後縁部変位Ｃの総計は、耳部全体幅Ｂとの関連で最小化されるのが望ましい。前縁部変位Ａ及び後縁部変位Ｃの合計と耳部全体幅Ｂとの比率（（Ａ＋Ｃ）／Ｂ）は、約０．３０以下であってよい。あるいは、前縁部変位Ａ及び後縁部変位Ｃの総計と耳部全体幅Ｂとの比率（（Ａ＋Ｃ）／Ｂ）は、約０．２０未満又は約０．１０未満であってよい。他の実施形態において、前縁部変位Ａ及び後縁部変位Ｃの総計と耳部全体幅Ｂとの比率（（Ａ＋Ｃ）／Ｂ）は、約０であってよい。
【００６２】
他の実施形態において、前縁部変位Ａと耳部中点幅Ｘとの比率は、トップハッティング及びそれによって生じる腰縁部の不連続性の消費者知覚において非常に重要であることが分かっている。例えば、腰縁部の不連続性は、より短い耳部中点幅Ｘを有するおむつよりもより長い耳部中点幅Ｘを有するおむつでの方がより目立たない。特定の実施形態において、前縁部変位Ａ及び後縁部変位Ｃの総計と耳部中点幅Ｘとの比率（（Ａ＋Ｃ）／Ｘ）は、約０．３０未満であってよい。あるいは、前縁部変位Ａ及び後縁部変位Ｃの総計と耳部中点幅Ｘとの比率（（Ａ＋Ｃ）／Ｘ）は、約０．２５未満、約０．２０未満、又は約０．１０未満であってよい。他の実施形態において、前縁部変位Ａ及び後縁部変位Ｃの総計と耳部中点幅Ｘとの比率（（Ａ＋Ｃ）／Ｘ）は、約０である。
【００６３】
図１〜図３は、後側腰部区域３８と結合し、後側腰部区域３８から伸長する後耳部４２であって、後耳部４２に結合する嵌合部材５２が前側腰部区域３６に配置される受入部材５４と嵌合し得るように設計される後耳部４２を表している。しかしながら、後耳部は前側腰部区域３６に結合され、前側腰部区域３６から伸長し得る前耳部４２であるように構成され、前耳部と結合する嵌合部材５２が後側腰部区域３８に配置される受入部材５４と嵌合し得るように設計され得ることは、当業者には明らかであるべきである。前縁部変位Ａ、後縁部変位Ｃ、耳部全体幅Ｂ、耳部中点幅Ｘ、及び受入部材中点幅Ｙは、前耳部に対して等しく適用可能である。
【００６４】
計量試験方法
本方法は、検量されたプログラム可能な機械的引っ張り力を有する既知の引っ張り力値まで引っ張られるように、おむつ上の物理的な基準点を印付け、及び記録する方法を記載する。本方法はまた、マイクロソフトエクセル（Microsoft Excel）のような表計算シートソフトウェアを使用する適切な距離計算の作成プロセスを記載する。これらの計算は、写真分析コンピュータプログラムの使用を通して、デジタルカメラ画像からピクセルｘ−ｙ座標の測定に基づく。
【００６５】
好適な引っ張り試験機は、１２７ｍｍ／分の一定のクロスヘッド速度において引っ張る能力を有するべきである。引っ張り試験機は、試験荷重値がロードセルの１％以上の較正範囲であるような較正されたロードセルを備えるべきである。好適な引っ張り試験機は、ミネソタ州エデンプレイリー（Eden Prairie）のＭＴＳシステムズ社（MTS Systems Corp.）から入手可能なＭＴＳ引っ張り試験機、モデル１／Ｓであって、１０Ｎロードセルの荷重がかけられる。引っ張り試験機は、図４に示すように、２つの適合するグリップ部４１０ａ及び４１０ｂを含む。各グリップ部４１０ａ、４１０ｂは、サンプルが搭載され得る半円筒形表面４１２を含む。表面４１２は、１２７ｍｍの長さＬを有する１．５０ｍｍ厚のステンレスから作成される。表面４１２は、１１５ｍｍの直径Ｄを有する。各表面４１２は、グリップ４１０が引っ張り試験されるのを可能とするフック４１４に結合される。フック４１４は、半円筒形表面の内表面の長さＬを動く。１つのグリップ４１０ａはロードセル及び、移動可能な引っ張り試験機のクロスヘッドに結合される。他のグリップ４１０ｂは引っ張り試験機の移動不可能な基底部に結合される。
【００６６】
以下で報告される全ての値は、５つの無作為なサンプルの平均である。消費者の市販サンプルの無作為化を確実なものとするために、５つのサンプルを以下のようにして採用した：
（ｉ）消費者市販サンプルが個別に販売されている（つまり１つのサンプルが個別に購入されてよい）場合、５つの消費者市販サンプルを得る。
（ｉｉ）消費者市販サンプルが複数で販売されている（つまりいくつかのサンプルは単一ユニットとして購入される）場合、５つの複数品を得る。５つの複数品の各々からの１つのサンプルは、試験のために無作為に選択される。
【００６７】
製品マーク：２つの製品マーク「＋」は、試験に先立って各サンプルの左側（つまり、サンプルの通常の着用中に着用者の左側に沿って下降する製品の側面）に載置される。製品マークは、先細のマジックインキ又は同様の手段を使用して作成されてよい。図３Ａ〜図３Ｂに示すように、第１製品マーク１は以下の工程に従って作成される：
１．製品が締着結合領域４７（図３Ａ〜図３Ｂに示すように）を有する場合、第１製品マークは締着結合領域４７の中央に載置される。
２．製品が締着結合領域４７を有さない場合、第１製品マークは嵌合表面５３の中央に載置される。
３．１又は２を使用できない場合、第１製品マークは嵌合部材５２の中央に載置される。
【００６８】
図３Ａ〜図３Ｂに示されるように、第２製品マーク２は、後側結合区域４５ｂの中央に載置される。横基準線３は、第１製品マーク１と第２製品マーク２との間に挽引かれ；線３は耳部／嵌合部材が連結する部分の内縁部と外縁部で終結する。
【００６９】
計量測定：前側縁部変位Ａ、後側縁部変位Ｃ、耳部全体幅Ｂ、耳部中点Ｘ、及び受入部材中点幅Ｙは、以下で提供される記載に従い、及び図３Ａ〜図３Ｂを参照して決定される。計量測定及び手順工程の目的において、縁部まで又は縁部からを測定する際、用語「縁部」は、以下を意味し、番号順に望ましい：
１．図５Ａに示される、縁部５１０が線状であり、引かれた線分５１２と交差する場合の、サンプル５００の物理的縁部５１０。
２．１でない場合、図５Ｂに示される、物理縁部５１０が実質的に線状である場合の、サンプル５００の物理縁部５１０からの線状投影５１４。
３．１又は２でない場合、図５Ｃに示される、サンプル５００物理縁部５１０上の最外点５１８から引かれる接線５１６。
【００７０】
図５Ａ〜図５Ｃは、線状投影及び接線を単純な形状（例えば、サンプル５００）上に引く方法を教示するために提供される。当業者は、これらの教示を吸収性物品の様々な縁部において線状投影及び接線を引く際に適用させることができるであろう。
【００７１】
前側縁部変位Ａは、（ｉ）耳部の上縁部と前側長手方向縁部１２ａの交点から引かれた線分の距離であり（ｉｉ）前側腰部区域３６における側面方向縁部１４、前側腰部区域３６における側面方向縁部１４の線状投影、又は縁部の線状構成要素がないサンプルの場合には、縁部から引かれた接線に対して垂直である。図３Ａに示すように、前側縁部変位Ａは、後耳部４２の上縁部４３ｃと前側腰部区域３８の側面方向縁部１４の距離である。図３Ｂに示すように、前側縁部変位Ａは、前耳部４０の上縁部４１ｃと前側腰部区域３８の側面方向縁部１４の距離である。
【００７２】
後側縁部変位Ｃは、（ｉ）耳部の上縁部と後側長手方向縁部１２ｂの交点から引かれた線分の距離であり、（ｉｉ）後側腰部区域３８における側面方向縁部１４、又は後側腰部区域３８における側面方向縁部１４の線状投影に対して垂直である。図３Ａ及び３Ｂに示すように、後側縁部変位Ｃは、後耳部４２の上縁部４４ｃと後側腰部区域３８の長手方向縁部１４との距離である。
【００７３】
耳部全体幅Ｂは、（ｉ）後耳部の下縁部と前側長手方向縁部１２ａ又は前耳部４０の縁部のいずれかのうち最も外側のものとの交点及び（ｉｉ）後側長手方向縁部１２ｂと後耳部の下縁部との交点、から引かれた線分の距離である。図３Ａに示すように、耳部全体幅Ｂは、（ｉ）前側長手方向縁部１２ａと後耳部４２の下縁部４３ｄとの交点、及び（ｉｉ）後側長手方向縁部１２ｂと後耳部４２の下縁部４３ｄとの交点間の距離である。しかしながら、図３Ｂに示すような側面締着おむつにおいては、耳部全体幅Ｂは、（ｉ）前側長手方向縁部１２ａと前耳部４０の下縁部４１ｄの交点及び（ｉｉ）後側長手方向縁部１２ｂと後耳部４２の下縁部４３ｄとの交点に引かれた線分の距離である。
【００７４】
耳部中点幅Ｘは、（ｉ）第１製品マーク１から引かれた線分の距離であり（ｉｉ）前側腰部区域３６における側面方向縁部１４又は前側腰部区域３６における側面方向縁部１４の線状投影に対して垂直である。
【００７５】
受入部材中点幅Ｙは、（ｉ）嵌合部材５２の内縁部に隣接する受入部材５４の中点４８（受入部材５４及び嵌合部材５２が締着配置にある場合）から引かれた線分の距離であり（ｉｉ）前側腰部区域３６における側面方向縁部１４又は前側腰部区域３６における側面方向縁部１４の線状投影に対して垂直である。受入部材５４の長手方向中点４８は、対向する受入部材５４の側面方向縁部から長手方向に引かれた線分の中点である。図３Ｂに示すようなある場合において、受入部材５４は嵌合部材５２と重なり合ってよい。このような場合、受入部材５４の中点４８は、対向する受入部材５４の側面方向縁部の線状投影から長手方向に引かれた線分の中点であり、嵌合部材５２の内縁部に隣接する。
【００７６】
手順工程：以下の工程に従って計量を測定する：
１．較正ルーラーをグリップに近接して載置する。ミリメートルで印付けられている較正ルーラーを、ルーラーの目盛り面を測定される製品の表面と同平面上に取り付ける。
２．デジタルカメラを引っ張り試験機に近接する三脚上に取り付け、サンプルと較正ルーラーをカメラの視界をできるだけ満たすように載置する。サンプルの表面に対して垂直且つ水平にカメラを整列させる。
３．上述のように、２つの製品マーク及び側面基準線をサンプルに印付ける。
４．サンプルを、その最大限の締着設定で締着する。嵌合部材の長手方向の中点が、受入部材の長手方向の中点との交点において長手方向に整列するように、嵌合部材は受入部材と結合されるべきである。受入部材の長手方向中点は、対向する受入部材の側面方向縁部から長手方向に引かれた線分の中点である。嵌合部材の長手方向中点は、嵌合部材の対向する側面方向縁部から長手方向に引かれた線分の中点である。加えて、嵌合表面の近位縁は、受入部材の長手方向縁部と整列すべきである。個別に嵌合表面又は受入表面を有さないサンプルにおいて、サンプルの嵌合部材及び受入部材は、（ｉ）前側及び後側腰部区域における側面方向縁部が整列し、（ｉｉ）前側腰部区域との嵌合を維持したままで、嵌合部材の末端部が前側腰部区域の長手方向縁部の５０ｍｍ内側か又はできるだけ外側かのうち、前側腰部区域の長手方向縁部により近く締結具をもたらす方に載置されるように締着されるべきである。
５．サンプルは、サンプルの前側腰部区域が移動可能なグリップ上のほぼ中央に来るように位置決めし、及びサンプルの後側腰部区域が固定グリップ上のほぼ中央に来るように位置決めするように引っ張り試験機のグリップ上に取り付ける。サンプルマークがカメラに面し、全試験値を見ることが可能であり、サンプルはルーラー及びカメラから同距離とされ、サンプルはカメラの視界に対して垂直であるように取り付けられたものである。
６．サンプルを１２７ｍｍ／分の一定のクロスヘッド速度で引っ張り、負荷が２００グラムに到達する際、そのままの状態で１０秒間保持する。写真を撮影する。
７．１２００グラムの負荷値に到達するまで、１２７ｍｍ／分の一定のクロスヘッド速度でサンプルを引っ張る。クロスヘッドを終了し、写真を撮影する。
８．クロスヘッドを元の配置まで戻す。
【００７７】
写真中のピクセル値を示すことが可能なコンピュータ画像プログラム（つまり、アドビ（Adobe）（登録商標）フォトショップ（Photoshop）（登録商標）を使用し、１２００ｇ負荷で撮影した各写真を分析する。各写真において、デジタル画像上に各計量（Ａ、Ｂ、Ｃ、Ｘ、Ｙ及びＷ）の線を引く。引かれた各線の終点におけるピクセル座標（ｘ及びｙ座標）を記録する。５０ｍｍ離れた２つのマーク間の較正ルーラー上に線を引く。この線におけるピクセル座標を記録する。各計量及び較正ルーラーの終点におけるピクセル座標を、適切なコンピュータ表計算プログラム（例えば、マイクロソフト（Microsoft）（（登録商標）のエクセル（Excel）（登録商標））に入力する。表計算ソフトは、以下の等式に従って、ピクセルで測定される終点間の距離をコンピュータにプログラムし得る：
【数１】
2009509619.tif 000003
式中、ｄ＝２点間の距離（ｘ１，ｙ１）及び（ｘ２，ｙ２）。５０ｍｍであることが既知である較正ルーラーにおけるピクセルでの距離は、任意のメートル法測定におけるピクセルでの距離をミリメートルでの距離に変換するのに使用されてよい。表計算ソフトは、ピクセル座標に基づく長さ値をミリメートルで変換するようにプログラムされる。
【００７８】
手順工程を、５つの重複したサンプルにおいて実行する。各計量における距離値を平均化し、その平均を記録する。
【実施例】
【００７９】
実施例１は、本発明の好適な実施例である。本実施例のシャーシを、米国特許第５，１５１，０９２号において提供される格納アセンブリについての記載に従って作成する。この実施例は、シャーシの対向する後側長手方向縁部に沿って結合される２つの後耳部を有する。後耳部は、コードＨＥＣ  ＦＰＮ  ３３２Ｄとして、テネシー州オールドヒッコリー（Old Hickory）のＢＢＡノンウォーヴェンス社（BBA Nonwovens）から入手可能な２つの最外層を備えるトリラミネートを含む。２つの不織布層間に配置されるのは、コードＫＧ６３６１．１００として、ミズーリ州のジャクソン（Jackson）のノルデニア（Nordenia）ＵＳＡから入手可能な伸縮フィルムである。後耳部の一部分を、米国特許第５，１６７，８９７号及び第５，１５６，７９３号に記載のゼロ歪み活性化プロセスに従って、漸増式に延伸する。後耳部はさらに、フック支持表面を備えるポリマーフィルムタブである嵌合部材を含む。フック支持表面は、３．８ｃｍ２の隣接領域を有する。タブは、シャーシに結合される後耳部縁部の反対側にある後耳部の外縁部から伸長する。この実施例はさらに、前側腰部区域内であって、シャーシの衣類に面する表面上に配置される直線状の受入部材を含む。受入部材は、パッチの衣類に面する表面上に繊維性のループを有するポリマーフィルムパッチである。パッチは、コードＡＮ２９Ｒ９５３２７８７３として、英国サフォーク州のアプリックスファスナ社（Aplix Fasteners）から入手可能である。パッチは、シャーシの横縁部に対してほぼ平行に及ぶ長さであるおよそ１３．５ｃｍ×５．０ｃｍを測定する。
【００８０】
実施例２は、市販の比較サンプルである。実施例は、オハイオ州シンシナティ（Cincinnati）のプロクター＆ギャンブル社（Procter & Gamble Company）から入手可能なパンパースクルーザー（Pampers Cruisers）サイズ４おむつである。
【００８１】
実施例３は、市販の比較サンプルである。この実施例は、ウィスコンシン州ニーナ（Neenah）のキンバリークラーク社（Kimberly-Clark Corp.）から入手可能なハギーズ（Huggies）（登録商標）スプリーム（Supreme）（登録商標）サイズ４である。
【００８２】
実施例４は、市販の比較サンプルである。この実施例は、ウィスコンシン州ニーナ（Neenah）のキンバリークラーク社（Kimberly-Clark Corp.）から入手可能なベビーシェイプド（Baby-Shaped）（登録商標）ハギーズ（Huggies）（登録商標）サイズ４である。
【表１】
2009509619.tif 000004
全測定値は、ミリメートルにおけるものである。標準偏差を括弧書きで表した。
【表２】
2009509619.tif 000005
【００８３】
「発明を実施するための最良の形態」で引用したすべての文献は、関連部分において本明細書に参考として組み込まれるが、いずれの文献の引用も、それが本発明に関して先行技術であることを容認するものとして解釈されるべきではない。本書における用語のいずれかの定義又は意味が、参考として組み込まれた文献におけるその用語のいずれかの定義又は意味と相反する限りにおいて、本書においてその用語に与えられた定義又は意味が適用されるものとする。
【００８４】
本発明の特定の実施形態を説明及び記述してきたが、本発明の精神及び範囲から逸脱することなく他の様々な変更及び修正を行えることが当業者には明白であろう。かかる実施形態及び特徴のすべての組み合わせが可能であり、またこれにより本発明の範囲内において実施できることも明らかである。従って、本発明の範囲内にあるそのような全ての変更及び修正を、添付の特許請求の範囲で扱うものとする。
【００８５】
特許請求の範囲
【図面の簡単な説明】
【００８６】
【図１Ａ】平面、非収縮状態における、後耳部を有する例示的なおむつの平面図。
【図１Ｂ】平面、非収縮状態における、前耳部を有する例示的なおむつの平面図。
【図１Ｃ】平面、非収縮状態における、ベルトによって形成される後耳部を有する例示的なおむつの平面図。
【図２Ａ】おむつの通常着用中に示されるような締着された配置における図１Ａのおむつの斜視図。
【図２Ｂ】おむつの通常着用中に示されるような締着された配置における図１Ｂのおむつの斜視図。
【図３Ａ】図２Ａのおむつの側面図を拡大した平面図。
【図３Ｂ】図２Ｂのおむつの側面図を拡大した平面図。
【図４】計量試験方法に使用するのに好適なグリップの斜視図。
【図５Ａ】好適な縁部決定を表している。
【図５Ｂ】好適な縁部決定を表している。
【図５Ｃ】好適な縁部決定を表している。
【図１Ａ】
2009509619.tif 000006
【図１Ｂ】
2009509619.tif 000007
【図１Ｃ】
2009509619.tif 000008
【図２Ａ】
2009509619.tif 000009
【図２Ｂ】
2009509619.tif 000010
【図３Ａ】
2009509619.tif 000011
【図３Ｂ】
2009509619.tif 000012
【図４】
2009509619.tif 000013
【図５Ａ】
2009509619.tif 000014
【図５Ｂ】
2009509619.tif 000015
【図５Ｃ】
2009509619.tif 000016
【国際調査報告】
2009509619.tif 000017
2009509619.tif 000018